(57)【要約】車両内で使用される圧縮形成トリムパネル。トリムパネルは、カバー要素、取り付け要素、及びトランスデューサオーディオ出力装置を含む。取り付け要素は、第１の端部、反対側の第２の端部、内部面、及び外部面を含む。カバー要素は、第１の端部、反対側の第２の端部、内部面、及び外部面を含む。カバー要素は、カバー要素の内部面が取り付け要素の外部面に隣接するように、取り付け要素に被せられて、そこに固定される。トランスデューサオーディオ出力装置は、トリムパネルが音声基板として作用するように、トリムパネルに固定される。
2013510765.tif 000002
【特許請求の範囲】
【請求項１】
車両内で使用される圧縮形成トリムパネルであって、
第１の端部、反対側の第２の端部、内側面、及び外側面を有する取り付け要素と、
第１の端部、反対側の第２の端部、内側面、及び外側面を有するカバー要素であって、前記カバー要素の内側面が前記取り付け要素の外側面に隣接するように、前記取り付け要素に被せられて、そこに固定されるカバー要素と、
前記トリムパネルが音声基板として作用するように前記トリムパネルに固定されるトランスデューサオーディオ出力装置と
を備える圧縮形成トリムパネル。
【請求項２】
取り付け要素は、トリムパネルの強度及びオーディオ出力の品質を高めるために、前記取り付け要素の少なくとも一部に広がる複数の波形を含む、請求項１に記載の圧縮形成トリムパネル。
【請求項３】
前記取り付け要素は、前記車両への前記トリムパネルの取り付けのために複数の穴を含む、請求項１に記載の圧縮形成トリムパネル。
【請求項４】
前記トリムパネルは、前記トリムパネルの上端部及び下端部から外側に伸張する複数のつまみを含む、請求項１に記載の圧縮形成トリムパネル。
【請求項５】
前記トリムパネルは、前記車両の一部の外形に対応する外形を有する、請求項１に記載の圧縮形成トリムパネル。
【請求項６】
前記トリムパネルは、前記トリムパネルの視覚的な外観を高めるために、前記トリムパネルの上端部において、及び前記トリムパネルの下端部において広がり部を含む、請求項１に記載の圧縮形成トリムパネル。
【請求項７】
前記トリムパネルは、前記車両のＡピラーに結合される、請求項１に記載の圧縮形成トリムパネル。
【請求項８】
車両内で使用される圧縮形成トリムパネルであって、
第１の端部、反対側の第２の端部、内側面、及び外側面を有する取り付け要素であって、前記取り付け要素の内側面は、前記取り付け要素の内側面の少なくとも一部に広がる複数の波形を含む取り付け要素と、
第１の端部、反対側の第２の端部、内側面、及び外側面を有するカバー要素であって、前記カバー要素の内側面が前記取り付け要素の外側面に隣接するように、前記取り付け要素に被せられて、そこに固定されるカバー要素と、
前記トリムパネルが音声基板として作用するように前記取り付け要素の内側面に固定されるトランスデューサオーディオ出力装置と
を備え、前記トランスデューサは、オーディオシステムの出力を最適化するデジタル信号処理技術を有するオーディオシステムに結合される圧縮形成トリムパネル。
【請求項９】
取り付け要素は、トリムパネルの強度及びオーディオ出力の品質を高めるために、前記取り付け要素の少なくとも一部に広がる複数の波形を含む、請求項８に記載の圧縮形成トリムパネル。
【請求項１０】
前記取り付け要素は、前記車両への前記トリムパネルの取り付けのために複数の穴を含む、請求項８に記載の圧縮形成トリムパネル。
【請求項１１】
前記トリムパネルは、前記トリムパネルの視覚的な外観を高めるために、前記トリムパネルの上端部及び下端部から外側に伸張する複数のつまみを含む、請求項８に記載の圧縮形成トリムパネル。
【請求項１２】
前記トリムパネルは、前記車両の一部の外形に対応する外形を有する、請求項８に記載の圧縮形成トリムパネル。
【請求項１３】
前記トリムパネルは、前記トリムパネルの上端部において、及び前記トリムパネルの下端部において広がり部を含む、請求項８に記載の圧縮形成トリムパネル。
【請求項１４】
前記トリムパネルは、前記車両のＡピラーに結合される、請求項８に記載の圧縮形成トリムパネル。
【請求項１５】
車両内で使用される圧縮形成トリムパネルであって、
外側面と、
前記車両の空間フレームピラーに結合するための複数の構造を有する内側面と、
前記トリムパネルが音声基板として作用するように、前記内側面に固定されるトランスデューサオーディオ出力装置と
を備える圧縮形成トリムパネル。
【発明の詳細な説明】
【技術分野】
【０００１】
本開示は、一般に、車両トリムパネルの分野に、より詳細には、オーディオ装置を有するトリムパネルに関する。
【０００２】
（関連出願への相互参照）
本出願は、２００９年１１月１１日に提出され、参照により本明細書に組み込まれる米国仮出願第６１／２６０，２４７号の利益及び優先権を主張する。
【背景技術】
【０００３】
トリムパネルは、典型的には、車両に、例えば、乗用車の乗員コンパートメントに使用される。トリムパネルは、車両のフレーム（ホワイトボディ又はＢＩＷと呼ばれる）等の金属部品上にカバー及び仕上げの内装を提供する。例えば、車体とその屋根との間に伸張するＡ、Ｂ、Ｃ及び／又はＤピラーを覆うために、装飾トリムパネルが使用される。従来、装飾トリムパネルは、樹脂材料を射出成形することにより形成される。安価な車両では、射出成形された装飾トリムパネルの展示面（ｓｈｏｗ  ｓｕｒｆａｃｅ）又はＡ表面（Ａ−ｓｕｒｆａｃｅ）は、塗装され及び／又は木目柄が設けられる。より高価な車両では、展示面又はＡ表面は、射出成形された装飾トリムパネルを覆う織物を設けることによって形成される。装飾トリムパネルの射出成形部分は、装飾トリムパネルに所望の硬度及び剛性をもたらす。また、それは、装飾トリムパネルが基礎となる金属ピラーに取り付けられることを可能にする取り付け構造、衝撃保護のためのエネルギ吸収構造としても機能し、車体からの音が乗員コンパートメントに入ることを減らすために音響材料が追加され得る場所を提供する。
【０００４】
また、一般に、車両の室内にオーディをシステムを設けることも知られている。オーディオシステムは、典型的には、ＡＭ／ＦＭラジオ、衛星ラジオチューナ、ＴＶチューナ、ＣＤ（ｃｏｍｐａｃｔ  ｄｉｓｃ）プレーヤ、デジタルメディアプレーヤ、カセットテーププレーヤ、又はオーディオシステムへの他の種類の入力を含んでもよい。また、オーディオシステムは、車両の前方ダッシュボード、中央コンソール、ドアパネル、又は後方コンパートメント等の室内に設置されるスピーカを含んでもよい。オーディオシステム用のコンソールは、典型的には、車両の前方ダッシュボード、中央コンソール、及びハンドルに設けられる。
【０００５】
周知の射出成形装飾トリムパネルは、多数の欠点を有する。例えば、それらは典型的には室温で剛性である樹脂材料から形成されるので、金属ピラーと剛性の射出成形された装飾トリムパネルとの間で振動又は接触が発生すると、ＢＳＲ（ｂｕｚｚ−ｓｑｕｅａｋ−ｒａｔｔｌｅ）雑音が生じ得る。このＢＳＲ雑音を防ぐために、射出成形された装飾トリムパネルは、車両のピラーに強固に接続される場合がある。更に、フェルト等の材料の層が、ＢＳＲ雑音が発生し得る場所において射出成形された装飾トリムパネルに取り付けられる場合がある。
【０００６】
また、オーディオ出力装置を有する周知のトリムパネルは、トリムパネル内に設けられるオーディオ出力装置から発生するオーディオ信号の品質を減らし又は下げる。また、こうした周知のオーディオシステムは、ドアパネル、コンソール、及びダッシュボードパネル等の車両の様々な領域において相当量の室内空間を占有する。従って、適合可能な圧縮形成トリムパネルを提供し、オーディオシステムの音声品質を向上させ、且つ製造及び設置の費用を安くする必要がある。
【発明の概要】
【０００７】
従って、本開示は、車両内で使用される圧縮形成トリムパネルに関する。圧縮形成トリムパネルは、カバー要素、取り付け要素、及びトランスデューサオーディオ出力装置を含む。トリムパネルは、カバー要素、取り付け要素、及びオーディオ装置を含む。取り付け要素は、第１の端部、反対側の第２の端部、内部面、及び外部面を含む。カバー要素は、第１の端部、反対側の第２の端部、内部面、及び外部面を含む。カバー要素は、カバー要素の内部面が取り付け要素の外部面に隣接するように、取り付け要素に被せられて、そこに固定される。トランスデューサオーディオ出力装置は、トリムパネルが音声基板として作用するように、トリムパネルに固定される。
【０００８】
本開示の利点は、トリムパネルがオーディオ出力装置を収容するように適合され得るが、トリムパネル内に設置されるオーディオ出力装置から発生するオーディオ信号の品質を減らし又は下げないということである。本開示の別の利点は、トリムパネルが軽量であり、製造及び設置の費用が安く、且つオーディオシステムの性能及び品質を改善するということである。本開示の更なる利点は、トリムパネルが占有する空間が少ないので、車両室内の空間が増加して、設置及び製造費用が少なくなるということである。本開示の更なる利点は、トリムパネルが、良好な音声品質、防音室、及び画像を生成する完全周波数出力の使用を可能にするということである。本開示の他の特徴及び利点は、添付の図面と共に後続の記載を読めば更に良く理解されることになるので、容易に理解されるであろう。
【図面の簡単な説明】
【０００９】
【図１】例示的な実施形態による室内トリムパネルを有する車両の斜視図である。
【図２】例示的な実施形態によるオーディオ出力装置を有するＡピラー装飾トリムパネルの側面図である。
【図３】例示的な実施形態による車両のＡピラーに取り付けられる装飾トリムパネルを有する、車両室内の斜視図である。
【図４】例示的な実施形態による車両のＣピラーに取り付けられる装飾トリムパネルを有する、車両室内の斜視図である。
【図５】例示的な実施形態による車両の中央パネルに取り付けられる装飾トリムパネルを有する、車両室内の斜視図である。
【図６】例示的な実施形態によるトランスデューサオーディオ出力装置の斜視図である。
【発明を実施するための形態】
【００１０】
図１を参照すると、例示的な実施形態による複数の圧縮形成装飾トリムパネル１２を有する車両１０が示されている。図示の車両１０は４ドアのセダンであるが、本開示の革新は、ミニバン若しくはスポーツユーティリティ車等において、又は誰かが移動し若しくは何かが何処かの市場へ運ばれ若しくは伝達される任意の他の手段又は輸送から飛行機及び宇宙旅行の全て並びにその間のもの全てを含む用途によって使用されてもよいことが理解されるべきである。
【００１１】
図２及び３を参照すると、圧縮形成装飾トリムパネル１２が示されている。トリムパネル１２は、略平面のカバー要素１４を含み、内側面（Ｂ表面）１６及び外側面（Ａ表面）１８を有する。カバー要素の外側面１８は、好ましくは、トリムパネル１２に対して、審美的に心地の良い可視表面、又は展示若しくはＡ表面を提供する。カバー要素は、視覚的な魅力及び音響効果を更に高めるために、織物、皮革、合成皮革等の様々な既定の材料で覆われてもよい。トリムパネル１２は、車両への取り付けのための１つ以上の構造を含んでもよい。構造は、つまみ（ｔａｂ）又は延長部（ｅｘｔｅｎｓｉｏｎ）等であってもよい。この例示では、トリムパネル１２は、Ａピラー用に設計されており、カバー要素１４の上部２６及び下部２８は、トリムパネル１２を、計器パネル、室内屋根、又は車両空間フレーム等の他の構成要素に固定する複数のつまみ３０を含む。また、カバー要素１４は、外観を仕上げるために計器パネルに支えられ得る下方広がり部３２、及び車両室内屋根に支えられ得る上方広がり部３４を含んでもよい。
【００１２】
また、トリムパネル１２は、様々な機能を果たす取り付け要素２０を含む。例えば、トリムパネルは、車両への取り付けを容易にし、トリムパネル１２の圧縮形成要素のための構造を生成し、衝突時のエネルギ吸収構造として作用し、且つオーディオ装置を車両ピラートリムに拘束してもよい。取り付け要素の内側面２２は、取り付け、剛性、強度又は音響強化等のための、複数の構造又は機能、例えば、波形、隆起、突起、リブ、延長部、湾曲、穴又は窪み等を有してもよい。この例示では、取り付け要素の内側面２２は、トリムパネル１２の一部のその下端部２６からその上端部２８まで広がる内側面２２から離れて伸張する複数の水平波形３６を含む。また、取り付け要素の内側面２２は、車両の空間フレームのＡピラー等の車両１０にトリムパネル１２を取り付けるために使用され得る複数の穴３８を有してもよい。
【００１３】
また、トリムパネル１２は、トリムパネル１２が取り付けられるべき車両フレーム外形と対応する既定の輪郭及び外形を有してもよい。この例示では、トリムパネル１２は、図３に示されるようにトリムパネル１２が取り付けられる車両のＡピラーに対応するＵ字形状の輪郭及び外形を有する。
【００１４】
また、装飾トリムパネル１２は、トランスデューサオーディオ出力装置又はスピーカ等のオーディオ装置４０を含む。トランスデューサ４０は、トリムパネル（「音声基板」）の表面から離れて音圧を生成して、それによりオーディオ出力を生成するように、トリムパネル１２と統合される。トランスデューサ４０は、締め具、螺子、又は接着剤等を使用して、取り付け要素の内側面２２に対して配置されて固定される。また、トランスデューサは、トランスデューサ４０を受け入れて収容するように適合されるトリムパネル１２の穴の中に配置されてもよい。トランスデューサは、既定の場所に配置され、好ましくは、オーディオ品質を最適化する場所、例えば、トランスデューサ４０又は他のオーディオ装置が乗員の耳の近くにあるように、トリムパネル１２の上端部に配置される。また、カバー要素１４及び／又は取り付け要素２０は、その中にトランスデューサ４０を少なくとも部分的に配置するための穴３８を含んでもよい。この例示では、トランスデューサ４０は、乗員の耳の付近により近づいて、それにより乗員のためにオーディオ性能を高めるように、トリムパネルの上部２６に配置される。また、オーディオ装置は、マイクロホン又はアンテナ等の他の種類の装置を含んでもよいことに留意するべきである。また、トランスデューサ４０及びオーディオシステムは、トランスデューサ４０からのオーディオ出力を更に最適化するために、デジタル信号処理技術等の様々な技術に動作可能に接続され得る。
【００１５】
カバー要素１４及び／又は取り付け要素２０は、様々な技術を使用して、圧縮形成可能な熱可塑性又は熱硬化性の基板を圧縮形成することによって、形成され得る。また、ポリプロピレン、ポリプロピレンガラスマット（ガラス繊維強化ポリプロピレン）、ポリプロピレン及び天然繊維（天然繊維で強化されたポリプロピレン）、ガラスマット強化熱可塑性物質、ポリマー、ポリマー複合材料、エラストマー及びバインダ若しくは結合材から作られる発泡コア、又はポリウレタン等の任意の適切な材料が、トリムパネル１２又はトリムパネル１２の一部、例えば、カバー要素１４、取り付け要素２０等を生成するために圧縮形成され得ることも考えられる。他の実施形態では、圧縮形成装飾トリムパネル１２は、圧縮形成装飾トリムパネル１２の背後に設置されたオーディオ出力装置から発生するオーディオ信号の品質を減らさない又は下げない基板で作られてもよい。
【００１６】
代替的に、カバー要素１４及び取り付け要素２０は、２つの別個の構成要素として形成されてもよい。ここで、取り付け要素２０は内側面２２及び外側面２４を有する後方キャリアとして機能する。カバー要素の内側面１６は、下端部２６及び反対側の上端部２８を有する伸張された略平面のトリムパネル１２を形成するために、取り付け要素の外側面２４上に被されて、そこに固定される。カバー要素１４は、接着剤、締め具、スナップ取り付け具、又はクランプ等を使用して、取り付け要素２０に固定され得る。
【００１７】
次に、図４を参照すると、別の実施形態による圧縮形成装飾トリムパネル２１２を含む車両室内が示されており、同様の機能が２００だけ増やされた同様の参照番号により表される。この実施形態では、圧縮形成装飾トリムパネル２１２は、車両のＣピラーに取り付けるように設計されて形成される。
【００１８】
次に、図５を参照すると、別の実施形態による圧縮形成装飾トリムパネル３１２を含む車両室内が示されており、同様の機能が３００だけ増やされた同様の参照番号により表される。この実施形態では、圧縮形成装飾トリムパネル３１２は、車両の中央パネル（中央オーディオチャネルのために使用される）に取り付けるように設計されて形成される。
【００１９】
他の実施形態によれば、中央パネルは、中央パネル及び計器パネルの上面が面一となるように設計され得る。圧縮形成トリムパネルは、例えば、ピラー領域（例えば、Ａピラー、Ｂピラー、Ｃピラー、Ｄピラー等）、前方及び／又は後方ダッシュボードパネル領域、中央パネル、ドアパネル、コンソールパネル又は計器パネル等の車両１０内の様々な領域で使用するために設計され得る。
【００２０】
次に、図６を参照すると、トランスデューサオーディオ出力装置４０が示されている。トランスデューサオーディオ出力装置（例えば、スピーカ等）４０は、電気信号を変動磁場に、その後、オーディオ出力を生成するための音波に変換する。トランスデューサ４０は、圧縮形成装飾トリムパネル１２へと及び／又はその背後へと挿入／取り付け／配置され得るように比較的又は十分に小さな大きさを有しており、最小限の空間を占有する。例えば、１つの例示的な実施形態では、トランスデューサオーディオ出力装置４０は、図２に示されるように圧縮形成装飾トリムパネル１２の内側面に取り付けられる。
【００２１】
代替的に、取り付け要素２０は、後方キャリアとして機能する別個の構成要素として形成されてもよい。取り付け要素２０は、内側面２２及び外側面２４を有する。カバー要素の内側面１６は、図３に示されるように、下端部２６及び反対側の上端部２８を有する伸張された略平面のトリムパネル１２を形成するために、取り付け要素の外側面２４上に被されて、そこに固定される。カバー要素１４は、様々な既定の技術を使用して、例えば、接着剤、締め具、スナップ取り付け具、又はクランプ等を使用して、取り付け要素２０に固定され得る。
【００２２】
上記教示に照らして、本開示の多くの修正及び変形が可能である。従って、添付の請求項の範囲内で、本開示は、詳細に記載されたものとは異なって実施されてもよい。
【図１】
2013510765.tif 000003
【図２】
2013510765.tif 000004
【図３】
2013510765.tif 000005
【図４】
2013510765.tif 000006
【図５】
2013510765.tif 000007
【図６】
2013510765.tif 000008
【国際調査報告】
2013510765.tif 000009